(57)【要約】家具等の扉に用いるヒンジであって、家具の本体に接続可能な固定部と、家具の扉に接続可能な可動部とを備え、固定部と可動部とは、少なくとも１つの関節運動軸及びロッカを含む関節運動システムによって、回動するように相互に接続され、少なくとも１つのロッカに機能的に接続されたヒンジを開放するための弾性手段を含む前記ヒンジにおいて、ヒンジの固定部は、家具の上部又は下部の壁の厚さ内に規定されたシートに挿入可能なように形成され、固定部及び少なくとも１つのロッカは、少なくとも１つの関節運動軸に垂直な平面に沿って延び、更に、ヒンジは、弾性的開放手段と少なくとも１つのロッカとの間で伝達するための可動要素を備え、当該伝達要素は、前記垂直な平面に沿って延在し、且つ移動可能であり、ロッカの側方の接触面に対して作用するように成形及び配置されたスラスト面を有することを特徴とするヒンジである。
2019512627.tif 000002
【特許請求の範囲】
【請求項１】
家具等の扉に用いるヒンジ（１）であって、
家具の本体に接続可能な固定部（２）と、
家具の扉（７）に接続可能な可動部（５）と、
を備え、
前記固定部（２）と前記可動部（５）とは、少なくとも１つの関節運動軸（１１，１２，１３，１４）及びロッカ（９，１０）を含む関節運動システムによって、回動するように相互に接続されており、
前記少なくとも１つのロッカに機能的に接続されたヒンジを開放するための弾性手段（１７，２３）を含む前記ヒンジにおいて、
前記ヒンジの前記固定部（２）は、家具の上部又は下部の壁（４）の厚さ内に規定されたシート（３）に挿入可能なように形成され、前記固定部（２）及び前記少なくとも１つのロッカ（９，１０）は、前記少なくとも１つの関節運動軸（１１，１２，１３，１４）に垂直な平面に沿って延び、
前記ヒンジ（１）は、前記弾性的開放手段（１７，２３）と前記少なくとも１つのロッカ（９，１０）との間で伝達するための可動要素（１５，２１）を備え、前記伝達要素は、前記垂直な平面に沿って延在し、且つ移動可能であり、前記ロッカ（９，１０）の側方の接触面（２０，２５）に対して作用するように成形及び配置されたスラスト面（１９，２４）を有する、
ことを特徴とするヒンジ。
【請求項２】
前記伝達要素（１５，２１）の前記スラスト面（１９，２４）は、少なくとも前記ヒンジの閉鎖位置の近傍において、前記ロッカの前記接触面（２０，２５）に作用することを特徴とする、請求項１に記載のヒンジ。
【請求項３】
前記伝達要素（１５，２１）の前記スラスト面（１９，２４）及び前記ロッカの前記接触面（２０，２５）は、前記少なくとも１つの関節運動軸（１１，１２，１３，１４）と平行に延びていることを特徴とする、請求項１又は２に記載のヒンジ。
【請求項４】
前記伝達要素は、前記ヒンジの前記固定部（２）によって回動するように支持されたレバー（１５）によって構成されていることを特徴とする、請求項１から３のいずれか１項に記載のヒンジ。
【請求項５】
前記レバー（１５）は、前記レバー（１５）に沿った中間位置に配置された回動軸（１６）によって回動するように支持され、
前記弾性手段（１７）は、前記レバー（１５）の第１の端部に作用し、
前記スラスト面（１９）は、前記第１の端部に対向する端部に設けられている、
ことを特徴とする、請求項４に記載のヒンジ。
【請求項６】
前記伝達要素は、前記弾性手段（２３）によって押圧される摺動要素（２２）によって回転できるように支持されたローラ（２１）によって構成されていることを特徴とする、請求項１から３のいずれか１項に記載のヒンジ。
【請求項７】
前記伝達要素（２１）の前記スラスト面（２４）及び／又は前記ロッカ（９，１０）の前記側方の接触面（２５）はカム形状に形成されていることを特徴とする、請求項１から６のいずれか１項に記載のヒンジ。
【請求項８】
前記弾性手段（１７，２３）はねじりバネを含むことを特徴とする、請求項１から７のいずれか１項に記載のヒンジ。
【請求項９】
前記ヒンジの前記固定部（２）と前記可動部（５）との間の前記関節運動システムは、４つの関節運動軸（１１，１２，１３，１４）と２つのロッカ（９，１０）とを含み、前記関節運動軸に対して直角となる前記平面に沿って延在していることを特徴とする、請求項１から８のいずれか１項に記載のヒンジ。
【請求項１０】
前記ヒンジの前記固定部（２）と前記可動部（５）との間の相対的な位置を、横方向、前面方向及び垂直方向のうちの少なくとも１つの方向において調節するための調節手段（８，３０，３１）を有することを特徴とする、請求項１から９のいずれか１項に記載のヒンジ。
【請求項１１】
前記ヒンジの前記調節手段（８，３０，３１）は、前記家具の本体の前面側からアクセス可能な作動手段を備えることを特徴とする、請求項１０に記載のヒンジ。
【請求項１２】
前記ヒンジの固定部（２）用の前記シート（３）は、家具の本体の前面側において開放していることを特徴とする、請求項１から１１のいずれか１項に記載のヒンジ。
【発明の詳細な説明】
【技術分野】
【０００１】
本発明は、家具等の扉に用いる弾性的開放手段を有するヒンジに関し、特に、家具の上部又は下部の壁の厚さ内に設けられたシートに挿入できるように形成された固定部又はウィングを有するヒンジに関する。
【背景技術】
【０００２】
家具分野において、ハンドル又は類似的な把持手段を有しない扉を備える家具がよく使用される。この場合、従来、扉は、バネを備えたヒンジに介して家具の本体に回動するように接続され、当該バネは、少なくとも扉の閉鎖位置の近傍において、当該扉に開放方向の移動を与えるように適合される。
【０００３】
更に、扉を閉鎖位置に解放可能にロックするために、適合された結合装置が設けられ、これらの装置は、ユーザが閉鎖された扉を軽く押すと解放され、ヒンジのバネが開放方向に扉を少なくとも第１の量だけ移動させることを可能にする。当該第１の量は、ユーザが扉を把持して完全に開放するために十分な量である。
【０００４】
一般に、このような応用に使用されるヒンジは、家具の本体の内側の側面に接続可能な固定部と、ボックス状の本体によって構成され、扉に接続可能な可動部とを含む。これらの部品は、少なくとも１つの回転軸を介して、より好ましくは、複数の関節運動軸及び連接ロッカを含む関節運動システムを介して、回動するように相互に関節連結される。
【０００５】
更に、前述したように、このようなヒンジは開放方向に作用するバネを備え、当該バネは、従来、例えば、欧州特許第１４７７６２８号の明細書に示されているように、Ｖ字形の層状バネ又はねじりバネの形態である。ロッカが関節運動軸を通過する平面に沿って延びていることから、前記Ｖ字形の層状バネ又はねじりバネは、ロッカの１つに直接に作用するように輪郭付けられている。
【発明の概要】
【発明が解決しようとする課題】
【０００６】
しかし、このような開放バネの既知の解決策は、完全に目視できない、異なるタイプのヒンジには適していないか、又は適用できない。完全に目視できないタイプのヒンジにおいて、固定部又はウィングは、家具の上部又は下部の壁の厚さ内に設けられたシートに挿入するために、フラットな形状の構造を有する。且つ、ヒンジの固定部の形状構造並びにロッカの形状構造及び配置により、ロッカは、関節運動軸に垂直な平面に沿って延びる。
【課題を解決するための手段】
【０００７】
本発明の狙いは、家具等の扉に用いるヒンジを提供することであって、当該ヒンジは、家具の上部又は下部の壁の厚さ内に設けられたシートに挿入可能なように形成された固定部又はウィングを有するタイプであり、このようなタイプのヒンジの固定部内に収容され、扉を開放するのに効果的な弾性作用を提供するように構成され、軽減した負荷を有する弾性的開放手段を備える。
【０００８】
この狙いにおいて、本発明の目的は、家具等の扉に用いる上述したタイプのヒンジを提供することであって、当該ヒンジにおいて、弾性的開放手段は、シンプルに構成され、また、閉鎖方向に作用するバネを有する対応バージョンのヒンジに対して、可能な限り少ない構成変更を要するものである。
【０００９】
本発明の他の目的は、家具等の扉に用いるヒンジを提供することであって、当該ヒンジは、信頼性が高く、容易かつ実用的に実施され、低コストである。
【００１０】
この狙い及び以下でより明らかになるこれら及び他の目的は、家具等の扉に用いるヒンジによって達成される。当該ヒンジは、
家具の本体に接続可能な固定部と、
家具の扉に接続可能な可動部と、
を備え、
前記固定部と前記可動部とは、少なくとも１つの関節運動軸及びロッカを含む関節運動システムによって、回動するように相互に接続されており、
前記少なくとも１つのロッカに機能的に接続されたヒンジを開放するための弾性手段を含む前記ヒンジにおいて、
前記ヒンジの前記固定部は、家具の上部又は下部の壁の厚さ内に規定されたシートに挿入可能なように形成され、前記固定部及び前記少なくとも１つのロッカは、前記少なくとも１つの関節運動軸に垂直な平面に沿って延び、
前記ヒンジは、前記弾性的開放手段と前記少なくとも１つのロッカとの間で伝達するための可動要素を備え、前記伝達要素は、前記垂直な平面に沿って延在し、且つ移動可能であり、前記ロッカの側方の接触面に対して作用するように成形及び配置されたスラスト面を有する、
ことを特徴とするヒンジである。
【００１１】
本発明のさらなる特徴及び利点は、添付図面における限定されない例によって示された、本発明に係るヒンジの好ましいが限定的ではない実施形態の説明からより明らかになるであろう。
【図面の簡単な説明】
【００１２】
【図１】本発明に係るヒンジの斜視図である。
【図２】家具に取り付けられ、扉が閉鎖状態にある、本発明に係るヒンジの第１の実施形態の断面図である。
【図３】扉が部分的に開放状態にある、図２のヒンジの断面図である。
【図４】本発明に係るヒンジの第２の実施形態の断面図である。
【発明を実施するための形態】
【００１３】
図面を参照すると、符号１で全体的に示された本発明に係るヒンジは、上部又は下部の壁の厚さ内に設けられたシート３に挿入されるように成形された固定部又はウィング２と、家具の扉７に規定されたシート６に挿入されるように成形された可動部５とを備える。
【００１４】
ヒンジは、少なくとも１つのロッカ及び関節運動軸を備え、より好ましくは、第１のロッカ９及び第２のロッカ１０、並びに４つの関節運動軸１１，１２，１３，１４を備え、四関節運動システムを形成して、ヒンジの固定部２に対する可動部５の関節運動を可能にする。
【００１５】
家具の上部又は下部の壁４内に設けられたシート３に挿入されるため、ヒンジの固定部２は、好適には、関節運動システムの関節運動軸１１−１４に垂直な平面に沿って延びる平坦な形状の構造を有する。そして、ロッカ９，１０は、平坦な固定部２内に収容可能なように、同様に平坦な形状の構造を有し、関節運動軸１１−１４に垂直な平面に沿って延びる。
【００１６】
このような形状の構造により、ヒンジは完全に隠蔽され、ヒンジの部分２及び５に挿入するために、シート３及び６から突出するヒンジの唯一の部分はロッカ９及び１０であって、ロッカ９及び１０は、家具の扉が開いているときに目視できる状態になる。
【００１７】
ヒンジは、同様に、関節運動システムのロッカ９，１０のうちの１つに機能的に接続された弾性的開放手段を備える。
【００１８】
本発明によれば、ヒンジは、弾性的開放手段とロッカとの間の伝達のための可動要素を備え、当該要素は、前述した垂直な平面に沿って延在し、且つ移動可能である。更に、当該伝達要素には、好ましくは少なくともヒンジの閉鎖位置の近傍において、このような弾性手段によって押圧されるロッカ９の側方の接触面に作用するように成形及び配置されたスラスト面が設けられている。
【００１９】
特に、図２及び図３に示す第１の実施形態において、伝達要素はレバー１５によって構成されている。レバー１５は、ヒンジの固定部２によって回動するように支持され、好ましくは、当該レバーに沿った中間位置に配置された回動軸１６に介して、ロッカ９，１０と同一平面上にあるように支持される。
【００２０】
この場合、弾性的開放手段は、好ましくは、固定部２のシートに配置されたコイルバネ１７の形態である。そうすることによって、弾性的開放手段が、例えば、回動するようにレバー１５に接続されたタペット（ｔａｐｐｅｔ）１８を介して、レバー１５の第１の端部に作用する。レバー１５の反対側の端部にはスラスト面１９がある。スラスト面１９は、関節運動軸１１−１４に平行に延びている。そうすることによって、スラスト面１９は、関節運動軸に平行に延在するロッカ９の側方接触面２０に作用するように、関節運動軸１１−１４に平行に延びている。
【００２１】
好ましくは、弾性手段によって与えられる開放作用を好適に調節するように、スラスト面１９及び／又は接触面２０はカム形状に成形される。
【００２２】
好ましくは、回動レバー１５は、ヒンジの固定部２の前面２´に実質的に垂直な方向に延びて、バネ１７の収容シートは、前面２´に平行に延びる。しかしながら、回動レバー１５及びバネが異なるように配置される可能性も排除されない。
【００２３】
図４に示す第２の実施形態において、伝達要素は、可動要素２２によって回転可能なように支持されたローラ２１によって構成される。可動要素２２は、固定部２のシート内を摺動できるように配置され、弾性的開放手段によって押圧される。弾性的開放手段は、好ましくはコイルバネ２３の形態である。
【００２４】
特に、ローラ２１は、それに接触するロッカ９と同一平面にあるように、関節運動軸１１−１４に垂直な平面上で延びて、且つこれらの関節運動軸に平行な軸に沿って回転することができる。
【００２５】
このような実施形態において、本発明に係るスラスト面は、ローラ２１の周面２４によって構成され、周面２４は、ロッカ９の側方接触面２５に作用する。
【００２６】
好ましくは、弾性手段によって与えられる開放作用を好適に調節するように、接触面２５はカム形状に成形される。
【００２７】
コイルバネの代替として、弾性的開放手段は、例えば、ねじりバネ、層状バネ、又は他のタイプのバネによって構成することができる。
【００２８】
好ましくは、ヒンジは、ヒンジの固定部２と可動部５と間の相対的な位置を、横方向、前面方向、及び垂直方向のうちの少なくとも１つの方向において調節するための調節手段を有する。
【００２９】
例えば、ヒンジの、そして扉７の垂直の調整を実行するために、好ましくは、可動部５は、箱形の第１の部分５´と、第２の部分５´´と、偏心調整要素８と、を備える。箱形の第１の部分５´は、扉７に固定することができ、第２の部分５´´は、第１の部分５´に接続されることによって、第１の部分５´が垂直に摺動することを可能にし、偏心調整要素８は、部分５´と５´´との間の相対位置を画定することを可能にする。
【００３０】
他の調節を実行するために、ロッカ９，１０及びレバー１５は、それぞれの回転軸１１，１３，１６を介して板状要素２６に枢着される。当該要素２６は支持体３２を支え、支持体３２内に、弾性的開放手段１７，２３を収容するためのシートが規定される。
【００３１】
板状要素２６及び支持体３２は、第２の下部板状要素２９によって横方向に移動可能なように支持され、そして、第２の下部板状要素２９は、固定部２の前面方向に移動可能に収容されている。固定部２は、好ましくは、上部囲い２７及び下部囲い２８によって規定された箱形の本体を有する。
【００３２】
以上説明した部品間の調節位置を規定するために、上部囲い２７に対して、板状要素２９の位置を規定するように、好ましくは、ねじ式の前面調節手段３１が備えられ、また、板状要素２９に対して、板状要素２６の横位置を規定するように、好ましくは、横調節手段３２が備えられる。
【００３３】
調節手段８，３０，３１は、好適には、操縦可能な作動手段を備え、当該作動手段は、例えば、ネジ頭型スロットの形であり、調節を容易にするため、使用者がヒンジが内部に取り付けられた家具の前面側からアクセス可能である。
【００３４】
弾性手段からロッカへの弾性的開放力を伝達するための更なる実施形態も可能である。例えば、弾性的開放手段とロッカとの間に、トグルリンケージ又は他の相互に関節連結されたレバーセット、或いは実際に別の一連の運動伝達要素の形態の複数の伝達要素を有することが可能である。
【００３５】
実際には、本発明によるヒンジは、弾性的開放手段及び対応する伝達手段が設けられたことによって、設定された目標及び目的を完全に達成したことが明らかになっている。当該弾性的開放手段及び対応する伝達手段は、検討中のタイプのヒンジのフラットな固定部に収容されるように軽減した負荷を有し、扉を開放するために効果的な弾性作用を提供するように構成されている。
【００３６】
更に、弾性的開放手段及び対応する伝達手段は、シンプルに構成されており、閉鎖方向に作用するバネを有する対応バージョンのヒンジに対して、可能な限り少ない構成変更を要するものである。
【００３７】
このようにして考案されたヒンジは、多くの修正及び変形が可能であり、これらの全ては添付の特許請求の範囲内に含まれる。
【００３８】
更に、全ての詳細は、技術的に同等の要素によって代えてもよい。
【００３９】
実際に、使用される材料、及び不特定な寸法と形状とは、要求及び技術水準に応じて任意に採用されてもよい。
【００４０】
本出願は、イタリア特許出願第１０２０１６００００２８４３９号（ＵＡ２０１６Ａ００１７９８）の開示に基づいて優先権を主張し、その全体の内容が参照により本明細書に組み込まれる。
【００４１】
特許請求の範囲に記載された技術的特徴の後に参照符号が付されている場合、それらの参照符号は、特許請求の範囲の明瞭性を高めるためのみに含まれている。したがって、そのような参照符号は、例としてそのような参照符号によって識別される各要素の解釈にいかなる限定的な影響も及ぼさないものである。
【図１】
2019512627.tif 000003
【図２】
2019512627.tif 000004
【図３】
2019512627.tif 000005
【図４】
2019512627.tif 000006
【国際調査報告】
2019512627.tif 000007
2019512627.tif 000008